(57)【要約】【課題】利便性を向上できるプリンタを提供する。【解決手段】複数種類の印字媒体を選択できるプリンタは、印字に用いられる複数の印字設定項目を一組とした登録情報を複数記憶する制御部を備え、複数の印字設定項目には印字媒体の種類に関する項目が含まれる。【選択図】  図２
2020131471.tif 000002
【特許請求の範囲】
【請求項１】
複数種類の印字媒体を選択できるプリンタであって、
印字に用いられる複数の印字設定項目を一組とした登録情報を複数記憶する制御部を備え、
前記複数の印字設定項目には前記印字媒体の種類に関する項目が含まれる
プリンタ。
【請求項２】
請求項１に記載のプリンタであって、
前記複数種類の印字媒体は、印字開始位置がそれぞれ異なり、
前記制御部は、前記印字媒体の種類に関する項目の設定に基づいて、前記印字媒体を前記印字開始位置に位置合わせする
プリンタ。
【請求項３】
請求項１又は２に記載のプリンタであって、
ユーザからの指示が入力される入力部を備え、
前記制御部は、
前記複数の印字設定項目に対応する情報を前記入力部から順次取得することにより前記登録情報を作成し、
前記複数の印字設定項目のうち、前記印字媒体の種類に関する項目で設定された前記印字媒体に対応しない前記印字設定項目に関する情報の取得を省略する
プリンタ。
【請求項４】
請求項１から３のいずれか一つに記載のプリンタであって、
情報を表示する表示部を備え、
前記制御部は、記憶された前記登録情報に対応するアイコンを、前記表示部に表示させる
プリンタ。
【請求項５】
請求項１から４のいずれか一つに記載のプリンタであって、
前記複数の印字設定項目には、用紙無駄なし機能に関する項目が含まれる
プリンタ。
【請求項６】
請求項１から５のいずれか一つに記載のプリンタであって、
印字に用いられる複数の印字設定項目を一組とした登録情報を複数記憶する第１のモードと、
印字に用いられる複数の印字設定項目を一組とした一つの登録情報のみを記憶する第２のモードと、を備える
プリンタ。
【請求項７】
請求項１から６のいずれか一つに記載のプリンタであって、
前記印字媒体の搬送方向における位置を検出するセンサを備え、
前記複数の印字設定項目には、前記印字媒体に備わる被検出部に対応する前記センサに関する項目が含まれる
プリンタ。
【請求項８】
複数種類の印字媒体を選択できるプリンタの制御方法であって、
複数の印字設定項目に対応する情報を順次取得することにより登録情報を作成すると共に、前記複数の印字設定項目のうち、前記印字媒体の種類に関する項目で設定された前記印字媒体に対応しない前記印字設定項目に関する情報の取得を省略する
プリンタの制御方法。
【請求項９】
複数種類の印字媒体を選択できるプリンタのコンピュータが実行可能なプログラムであって、
複数の印字設定項目に対応する情報を順次取得することにより登録情報を作成させると共に、前記複数の印字設定項目のうち、前記印字媒体の種類に関する項目で設定された前記印字媒体に対応しない前記印字設定項目に関する情報の取得を省略させる手順を、
前記コンピュータに実行させるプログラム。
【発明の詳細な説明】
【技術分野】
【０００１】
本発明は、プリンタ、プリンタの制御方法及びプログラムに関する。
【背景技術】
【０００２】
プリンタは、印字する印字媒体に最適な印字濃度、印字速度等の設定をユーザが行なう必要がある。このようなプリンタとして、印字濃度、印字速度等を表示画面により設定して、記憶するプリンタが従来から用いられている（特許文献１、段落００１１等参照）。
【先行技術文献】
【特許文献】
【０００３】
【特許文献１】特開２００８−７４０２９号公報
【発明の概要】
【発明が解決しようとする課題】
【０００４】
しかしながら、このような従来のプリンタでは、印字媒体を変更する度に設定をやり直す必要があり、手間が増加する。さらに、予め印字媒体に対応した設定を記憶している場合も、印字媒体を異なるものに変更した場合は、設定を一から変更する必要があり、やはり手間が増加するという問題がある。
【０００５】
本発明は、このような技術的課題に鑑みてなされたもので、複数種類の印字媒体を選択できるプリンタにおいて、利便性を向上できるプリンタを提供することを目的とする。
【課題を解決するための手段】
【０００６】
本発明のある態様によれば、複数種類の印字媒体を選択できるプリンタであって、印字に用いられる複数の印字設定項目を一組とした登録情報を複数記憶する制御部を備え、複数の印字設定項目には、印字媒体の種類に関する項目が含まれるプリンタが提供される。
【発明の効果】
【０００７】
これによれば、複数種類の印字媒体のそれぞれに対応する複数の登録情報を予め記憶しておくので、印字媒体を別の種類のものに交換した場合にも、記憶された登録情報に基づいて印字を行なうことができるので、ユーザの手間が軽減され、利便性が向上する。
【図面の簡単な説明】
【０００８】
【図１】本発明の実施形態に係るプリンタの概略構成図である。
【図２】本発明の実施形態に係るプリンタの制御ブロック図である。
【図３】ラベルの平面図である。
【図４】リストバンドの平面図である。
【図５】親子型リストバンドの平面図である。
【図６】本発明の実施形態の用紙無駄なし機能の説明図である。
【図７】本発明の実施形態のスタート画面の一例の説明図である。
【図８】本発明の実施形態のコントローラが実行する登録処理のフローチャートである。
【図９】本発明の実施形態の設定画面の一例の説明図である。
【図１０】本発明の実施形態のプリセット登録画面の一例の説明図である。
【図１１】本発明の実施形態のプリセット一覧画面の一例の説明図である。
【図１２】本発明の実施形態の印字媒体選択画面の一例の説明図である。
【図１３】本発明の実施形態の印字方式選択画面の一例の説明図である。
【図１４Ａ】本発明の実施形態のセンサタイプ選択画面の一例の説明図である。
【図１４Ｂ】本発明の実施形態のセンサタイプ選択画面の一例の説明図である。
【図１５】本発明の実施形態の用紙無駄なし機能選択画面の一例の説明図である。
【図１６】本発明の実施形態の印字速度・濃度設定画面の一例の説明図である。
【図１７】本発明の実施形態のＲＦＩＤタグ設定画面の一例の説明図である。
【図１８Ａ】本発明の実施形態の登録名入力画面の一例の説明図である。
【図１８Ｂ】本発明の実施形態の登録名入力画面の一例の説明図である。
【図１９】本発明の実施形態の最終確認画面の一例の説明図である。
【発明を実施するための形態】
【０００９】
以下、添付図面に従って本発明の実施形態のプリンタ１について詳説する。
【００１０】
図１は、本発明が適用されたプリンタ１の概略構成図である。
【００１１】
プリンタ１は、インクリボンＲを熱してインクリボンＲのインクを印字媒体Ｍに転写することで印字を行う熱転写方式のものである。印字媒体Ｍは、例えば、帯状の台紙に複数のラベルが所定の間隔で連続して仮着され、ロール状に巻回された連続体ＭＬとして構成される。
【００１２】
なお、印字媒体Ｍとして、ラベルではなく後述するようなリストバンド（リストバンド、親子型リストバンド）を用いることができる。また、印字媒体ＭとしてＲＦＩＤ仕様のＩＣチップ及びアンテナを有するＲＦＩＤ媒体を用いることもできる。
【００１３】
プリンタ１は、図１に示すように、印字機構１０と、リボン供給軸２０と、リボン巻取軸３０と、媒体供給軸４０と、通信部５０と、上流側位置検出センサ７１と、下流側位置検出センサ７２と、制御部としてのコントローラ６０と、を備える。
【００１４】
印字機構１０は、ヘッドユニット１１と、プラテンローラ１２と、を備え、印字媒体Ｍへの印字と連続体ＭＬ及びインクリボンＲの搬送を行う。
【００１５】
ヘッドユニット１１は、サーマルヘッド１３の発熱素子を下面から露出させた状態でサーマルヘッド１３を保持する。プラテンローラ１２は、サーマルヘッド１３の直下に配置され、印字媒体Ｍに印字を行う印字部１５をサーマルヘッド１３と共に構成する。
【００１６】
ヘッドユニット１１は、支持軸１４により図１の矢印の方向に揺動可能に支持される。ヘッドユニット１１は、サーマルヘッド１３がプラテンローラ１２から離間するヘッドオープン位置と、サーマルヘッド１３がプラテンローラ１２に当接するヘッドクローズ位置と、に移動させることができる。図１では、サーマルヘッド１３はヘッドクローズ位置である。
【００１７】
リボン供給軸２０は、印字部１５に供給されるインクリボンＲをロール状に保持する。リボン供給軸２０から印字部１５に供給されたインクリボンＲは、サーマルヘッド１３とプラテンローラ１２との間に挟持される。
【００１８】
媒体供給軸４０は、印字部１５に供給される連続体ＭＬをロール状に保持する。媒体供給軸４０から印字部１５に供給された連続体ＭＬは、サーマルヘッド１３とプラテンローラ１２との間にインクリボンＲと共に挟持される。
【００１９】
印字媒体Ｍ及びインクリボンＲがサーマルヘッド１３とプラテンローラ１２との間に挟持された状態でサーマルヘッド１３の発熱素子への通電が行われると、発熱素子の熱によってインクリボンＲのインクが印字媒体Ｍに転写され、印字媒体Ｍへの印字が行われる。また、プラテン駆動モータ（図示せず）によってプラテンローラ１２が正回転すると、連続体ＭＬ及びインクリボンＲが下流側へと搬送される。
【００２０】
使用済のインクリボンＲは、プラテン駆動モータとのギアの連結によってリボン巻取軸３０が回転すると、その外周に巻き取られる。なお、ヘッドユニット１１がヘッドオープン位置になっている場合は、リボン巻取軸３０を回転させることで、インクリボンＲのみをフィードすることができる。
【００２１】
なお、本実施形態ではサーマルヘッド１３によるインクリボン転写型のプリンタ１を説明するが、印字媒体Ｍが感熱紙であって、サーマルヘッド１３が熱を加えることで印字媒体Ｍに印字を行なう熱転写方式を用いた熱転写型プリンタであってもよい。
【００２２】
上流側位置検出センサ７１は、透過型光電センサと反射型光電センサとを備える。印字媒体Ｍがラベル又はリストバンドである場合は、連続体ＭＬに印字媒体Ｍに対応して所定の間隔（ピッチ）で位置検出用のアイマークが印刷されている。反射型光電センサはアイマークを検出することで印字部１５に対する印字媒体Ｍの相対的位置を検出する。透過型光電センサは、連続体ＭＬにおける印字媒体Ｍと印字媒体Ｍとの間隙（ギャップ）、又は印字媒体Ｍに形成された孔部を検出することで、印字部１５に対する印字媒体Ｍの相対的位置を検出する。
【００２３】
下流側位置検出センサ７２は、透過型光電センサ又は反射型光電センサを備え、連続体ＭＬの先頭位置を検出する。
【００２４】
上流側位置検出センサ７１及び下流側位置検出センサ７２は、印字部１５の位置、より詳しくは、サーマルヘッド１３が印字媒体Ｍに印字を行なう位置であって、プラテンローラ１２とサーマルヘッド１３とが連続体ＭＬを挟持する位置、との相対位置が決まっている。従って、上流側位置検出センサ７１及び下流側位置検出センサ７２が印字媒体Ｍを検出することにより、印字部１５に対する印字媒体Ｍの相対的な位置を検出することができる。よって、連続体ＭＬに印字媒体Ｍに対応して所定の間隔（ピッチ）で印刷されている位置検出用のアイマーク、連続体ＭＬにおける印字媒体Ｍと印字媒体Ｍとの間隙、印字媒体Ｍに形成された孔部が、印字媒体Ｍに印字を開始する位置（印字開始位置）を設定するための基準となる。
【００２５】
コントローラ６０には、入出力インターフェースを介して、外部コンピュータからの印字指示データ、上流側位置検出センサ７１及び下流側位置検出センサ７２の検出信号等が入力される。また、コントローラ６０は、サーマルヘッド１３の発熱素子への通電、各駆動モータへの通電、通信部５０のＲＦＩＤアンテナ（図示せず）への通電及びＲＦＩＤ機能を備える印字媒体ＭのＩＣチップとの通信（読み取り、書き込み）等を制御する。
【００２６】
コントローラ６０は、印字を行う際は、図１に示すように、これから印字する印字媒体Ｍの位置を印字開始位置に位置合わせした状態で、印字処理を実行する。印字開始位置は、連続体ＭＬのアイマークの位置を基準にして設定される。
【００２７】
なお、ＲＦＩＤ機能を有する印字媒体Ｍを使用する場合は、コントローラ６０は、必要に応じて印字媒体Ｍに印字すると共に、通信部５０によりＲＦＩＤ機能を有するＩＣチップに書き込まれた情報の読み取り及びＩＣチップへの情報の書き込みを行う。なお、後述するように、プリンタ１がＲＦＩＤ機能非搭載モデルの場合は、通信部５０は備えない。
【００２８】
図２は、本実施形態のコントローラ６０の構成ブロック図である。
【００２９】
コントローラ６０は、ＣＰＵ（central processing unit：中央演算装置）５１、ＲＯＭ（read only memory）５２、ＲＡＭ（random access memory）５３、搬送制御回路５４、印字制御回路５５、用紙検出回路５７、ＩＯポート５９及び電源部６１を備えて構成される。これらはバス６５を介して相互に接続されており、相互に各種データの送受信が行なえるように構成されている。
【００３０】
ＣＰＵ５１は、ＲＯＭ５２に記憶されているプログラムを実行することによって、コントローラ６０全体を統括的に制御すると共に、各部に所要の処理や制御を実行させる。
【００３１】
ＲＯＭ５２は、ＣＰＵ５１が読み出して実行するプログラムを記憶している。
【００３２】
ＲＡＭ５３は、ＣＰＵ５１が実行する処理に必要な各種情報や印字に必要な印字データ、印字フォーマット、登録情報などを記憶する。
【００３３】
搬送制御回路５４は、ＣＰＵ５１からの指示信号に従いプラテンローラ１２を駆動する駆動モータを制御して、プラテンローラ１２の回転／停止を制御する。これにより、用紙搬送路の連続体ＭＬの搬送が制御される。
【００３４】
印字制御回路５５は、ＣＰＵ５１から供給される印字すべき文字、図形及びバーコードなどの印字データに対応する印字信号を生成し、生成された印字信号をサーマルヘッド１３に供給することで、印字媒体Ｍに印字が行なわれる。
【００３５】
用紙検出回路５７は、上流側位置検出センサ７１及び下流側位置検出センサ７２が取得した情報に基づいて用紙搬送路の連続体ＭＬが有するアイマークやギャップ等の被検出部を検出してＣＰＵ５１にその情報を送る。ＣＰＵ５１は、用紙検出回路５７からの情報に基づいて搬送制御回路５４による連続体ＭＬ及びインクリボンＲの搬送を制御すると共に、サーマルヘッド１３による印字のタイミングを制御して印字媒体Ｍの適切な位置へと印字を実行する。
【００３６】
ＩＯポート５９は、表示部２８及び入力部２７へと接続され、ＣＰＵ５１から供給される表示データを表示部２８に出力する。また、ＩＯポート５９は、ユーザによる入力部２７への操作に対応した操作信号をＣＰＵ５１に送る。またＩＯポート５９は通信部５０との間で情報を送受信し、ＩＣチップのデータの読み込み及び書き込みを行なう。
【００３７】
表示部２８は、例えば液晶ディスプレイにより構成される。入力部２７は、表示部２８に備えられたタッチパネルや、ボタン、ＤＩＰ−ＳＷ等により構成される。
【００３８】
電源部６１は、電源スイッチ３１に対する押下操作を監視し、電源スイッチ３１の操作に基づいて、各部への電力供給の実施と停止とを切り替えることにより、プリンタ１の電源をオン／オフする。
【００３９】
次に、印字媒体Ｍについて説明する。本実施形態のプリンタ１は、ラベル、リストバンド、親子型リストバンド、の三つの種類の印字媒体Ｍを装填して印字可能に構成されている。
【００４０】
図３は、印字媒体Ｍがラベルである場合の連続体ＭＬを説明する平面図である。
【００４１】
連続体ＭＬは、帯状の台紙１０７と、台紙１０７上に仮着した印字媒体Ｍである複数枚のラベル片１０８とにより構成される。
【００４２】
台紙１０７の裏面側には、ラベル片１０８の搬送方向下流側の先端に相当する位置に、位置検出用のアイマーク１０９があらかじめ印刷されている。互いに隣り合うラベル片１０８の間にはギャップ１２０が設けられている。
【００４３】
上流側位置検出センサ７１は、連続体ＭＬが有するアイマーク１０９或いはギャップ１２０を検出することにより、印字部１５に対するラベル片１０８の位置（より詳しくは印字領域）を検出することができる。
【００４４】
図４は、印字媒体Ｍがリストバンドである場合の連続体ＭＬを説明する平面図である。
【００４５】
連続体ＭＬには、バンド基材２０２に切り込みを入れて形成されたリストバンド２０１が、搬送方向（長手方向）に並べて構成されている。
【００４６】
リストバンド２０１は、印字領域２０１ａと、被印字部２０１ｂと、第１の巻掛け部２０１ｃと、第２の巻掛け部２０１ｄと、孔部２０１ｅと、アイマーク２０１ｆとを有している。
【００４７】
印字領域２０１ａは印字部１５により印字が行われる領域である。印字前の印字領域２０１ａは、無地の状態になっている。印字領域２０１ａには、図４中の上方が印字内容の上方となるように、印字が行われる。
【００４８】
被印字部２０１ｂは、印字領域２０１ａを有しており、第１の巻掛け部２０１ｃ及び第２の巻掛け部２０１ｄの間に介在する。
【００４９】
第１の巻掛け部２０１ｃは、被印字部２０１ｂから搬送方向の下流側に延在して形成されている。
【００５０】
第２の巻掛け部２０１ｄは、被印字部２０１ｂから搬送方向の上流側に延在して形成されている。第２の巻掛け部２０１ｄの長手方向の長さは、第１の巻掛け部２０１ｃよりも短くなっている。
【００５１】
孔部２０１ｅは、第１の巻掛け部２０１ｃ及び第２の巻掛け部２０１ｄに貫通して形成されている。孔部２０１ｅは、リストバンド２０１をバンド基材２０２から切り離して手首等に装着するときに、クリップ等を貫通させることで固定される。なお、図４に示す例では、第１の巻掛け部２０１ｃに１５個、第２の巻掛け部２０１ｄに２個の孔部２０１ｅが設けられている。
【００５２】
アイマーク２０１ｆは、第１の巻掛け部２０１ｃの裏面側で、リストバンド２０１の印字領域２０１ａの搬送方向下流側の先端付近（リストバンド２０１のほぼ中央付近）に設けられ、上流側位置検出センサ７１が備える反射型光電センサにより検知可能なように、あらかじめ黒色に印刷されている。
【００５３】
アイマーク２０１ｆは、印字開始位置を設定する基準となる。すなわち、上流側位置検出センサ７１によってアイマーク２０１ｆが検出されることで、リストバンド２０１の位置（より詳しくは印字領域２０１ａ）を検出できる。
【００５４】
連続体ＭＬ上のリストバンド２０１とリストバンド２０１との境界部分は、印字後に容易に切断可能なようにミシン目２０３が形成されている。
【００５５】
図５は、印字媒体Ｍが親子型リストバンドである場合の連続体ＭＬの平面図を示す。
【００５６】
連続体ＭＬには、基材３０３に切り込みを入れて形成された手首や足首等の被巻付け部に巻き付け可能な大小一組の親子型リストバンド３０４（親リストバンド３０７、子リストバンド３０８）が配置されている。
【００５７】
基材３０３自体の材料は、人体に接触する裏面側及び特定情報を表示する表面側のそれぞれ特性に適した任意のものを選択することができるが、裏面側は柔軟かつ通気性に優れ、表面側は印字ないし印刷可能なものが望ましく、それぞれの機能に応じて必要な基材を積層する構造を採用することができる。
【００５８】
親子型リストバンド３０４は、親リストバンド３０７と、子リストバンド３０８とを内縁境界線３０９を介して互いに隣り合わせに一体的に形成される。外縁境界線３０６は、親子型リストバンド３０４の外縁を構成し、外縁境界線３０６の部分で親子型リストバンド３０４を基材３０３から一体的に分離させる境界線である。内縁境界線３０９は、親リストバンド３０７と子リストバンド３０８とを分離させる境界線である。これら外縁境界線３０６及び内縁境界線３０９は、容易に分離可能に構成される。
【００５９】
親子型リストバンド３０４は、主に出産時の赤ちゃんの取り違えを防止するために用いられるものであり、まず母親に親子型リストバンド３０４を装着し、出産後に母親の親子型リストバンド３０４から子リストバンド３０８を分離して、それを赤ちゃんに装着するものである。
【００６０】
親リストバンド３０７は、印字領域３０７ａを有している。子リストバンド３０８は、印字領域３０８ａを有している。印字領域３０７ａ及び印字領域３０８ａは印字部１５により印字が行われる領域である。印字前の印字領域３０７ａ及び印字領域３０８ａは、無地の状態になっている。印字領域３０７ａには、図５中の上方が印字内容の上方となるように、印字が行われる。
【００６１】
親リストバンド３０７には複数の孔部３１７が貫通して形成されている。同様に子リストバンド３０８には、孔部３１８が貫通して形成されている。これら孔部３１７、３１８は、リストバンドを手首等に装着するときに、クリップ等を貫通させることにより、固定される。
【００６２】
基材３０３には、矩形状に形成された孔３１２が設けられている。孔３１２は、親子型リストバンド３０４の印字領域３０７ａの搬送方向下流側の先端付近（親子型リストバンド３０４の搬送方向下流側先端から搬送方向上流側にやや離れた位置、別の表現でいうと基材３０３の搬送方向下流側先端から搬送方向上流側にやや離れた位置）から基材３０３の幅方向にずらして設けられ、上流側位置検出センサ７１が備える透過型光電センサにより検知可能なように形成されている。
【００６３】
孔３１２は、印字開始位置を設定する基準となる。すなわち、基材３０３に矩形状に形成された孔３１２が、上流側位置検出センサ７１の透過センサにより検出されることで、親リストバンド３０７及び子リストバンド３０８の位置が検出できる。これにより、上流側位置検出センサ７１によって、印字部１５に対する親子型リストバンド３０４の位置（より詳しくは印字領域）を検出することができる。
【００６４】
次に、用紙無駄なし機能について説明する。
【００６５】
図６は、本実施形態のプリンタ１において実行される用紙無駄なし機能の説明図である。
【００６６】
用紙無駄なし機能とは、印字媒体Ｍがラベル（図３参照）である場合において、連続体ＭＬをプリンタ１に装填した場合に、先端部分にあるラベルを無駄にすることなく先端部分のラベルから印字を行なえる機能である。
【００６７】
一般的に、連続体ＭＬをプリンタ１に装填して印字を開始する場合、コントローラ６０は、連続体ＭＬを順方向に搬送しながらセンサにより印字媒体Ｍの位置を検出する。このため、検出時に印字部１５よりも下流方向に搬送された印字媒体Ｍは印字が行なわれず無駄となる。本実施形態のプリンタ１は、次のような動作を行なうことで連続体ＭＬの先端位置にある印字媒体Ｍから印字を行なえるよう構成した。
【００６８】
図６において、（１）は、連続体ＭＬの先端部１０４Ａが印字開始位置（印字部１５のプラテンローラ１２とサーマルヘッド１３とに挟持される位置）まで差し込まれた状態を示す。
【００６９】
図６の（２）は、下流側位置検出センサ７２が連続体ＭＬの先端部１０４Ａを検出した状態を示す。
【００７０】
図６の（３）は、連続体ＭＬを逆方向に搬送して、連続体ＭＬのラベル片１０８を印字部１５の印字開始位置に位置合わせした状態を示す。
【００７１】
図６の（４）は、先頭のラベル片１０８に印字が行われた状態を示す。
【００７２】
連続体ＭＬの装填にあたって、ヘッドを解放して（ヘッドオープン位置）、プラテンローラ１２の部分まで連続体ＭＬの先端部１０４Ａを差し込む。この状態で、コントローラ６０が次のように動作することで用紙無駄なし機能が実現される。
【００７３】
連続体ＭＬが、サーマルヘッド１３とプラテンローラ１２との間に挟持された状態（図６（１））で、プラテンローラ１２の回転により、連続体ＭＬがプラテンローラ１２をこえて、下流側位置検出センサ７２の方向に搬送される。
【００７４】
連続体ＭＬが搬送され、下流側位置検出センサ７２が連続体ＭＬの先端位置の印字媒体Ｍの先端部１０４Ａを検出した場合は（図６（２））、コントローラ６０は、プラテンローラ１２を逆転操作して連続体ＭＬを上流側に搬送することにより、連続体ＭＬを印字部１５の印字開始位置に停止させる（図６（３））。下流側位置検出センサ７２と印字部１５との距離は機械的に既定の長さに決まっているので、この規定の長さ分搬送を行うことにより、印字媒体Ｍを印字開始位置に停止させることができる。この状態で、コントローラ６０は、印字部１５による印字を行う（図６（４））。
【００７５】
このような動作により、連続体ＭＬの先端位置のラベル片１０８に印字することが可能となり、装填された連続体ＭＬのラベル片１０８の一枚も無駄にすることがない。
【００７６】
以上のように構成されたプリンタ１において、次に、その動作を説明する。
【００７７】
ここで、まず「メディアプロファイル機能」と「メディアスタートアップ機能」について説明する。メディアプロファイル機能は、複数種類の印字媒体Ｍに対応した複数の登録情報（「プリセット」とも呼ぶ）をあらかじめ記憶しておき、記憶したプリセットを図７で説明するようにアイコン等で表示することで、ワンタッチで呼び出すことができる機能である。
【００７８】
メディアプロファイル機能を用いることで、プリンタ１に装填される印字媒体Ｍを他の種類に変更した場合にも、ワンタッチで登録情報を呼び出すことができるので、印字媒体Ｍの種類を変更するたびに印字のための設定を一から設定しなおす必要がなくなる。
【００７９】
一方で、メディアスタートアップ機能は、印字に用いられる複数の印字設定項目を一組とした一つの登録情報のみを記憶するモードである。プリンタ１が複数種類の印字媒体Ｍを頻繁に入れ替えない用途である場合に、スタート画面に表示されたアイコンを印字のたびに選択することは煩わしいと感じるユーザもいる。そこで、各印字設定項目につき一つの登録情報のみを記憶しておき、起動時や印字媒体Ｍの交換時にも登録情報の呼び出しのための操作を省略できるのがメディアスタートアップ機能である。
【００８０】
図７は、本実施形態のプリンタ１の表示部２８に表示されるスタート画面の一例としてメディアプロファイル機能に関する画面を示す説明図である。
【００８１】
画面には、アイコンが表示される。アイコンは、設定アイコン１０１０、登録済みアイコン１０１１、１０１２が含まれる。登録済みアイコンは、後述するように、メディアプロファイル機能により登録された印字設定項目からなる登録情報に対応するアイコンである。図７に示す例では、ＲＦＩＤ機能を有するラベルを印字媒体Ｍとする登録済みアイコン１０１１、親子型リストバンドを印字媒体Ｍとする登録済みアイコン１０１２が表示されている。なお、図７に示す例では、登録済みアイコン１０１１は、ＲＦＩＤ機能を有するラベルを印字媒体Ｍとして登録した場合に表示され、アイコンの上側にＲＦＩＤ機能を有していることを示す文字が付されている。また、これらアイコンの右下には、印字設定を登録した順に、１、２…と番号が付されている。
【００８２】
ユーザは、プリンタ１を起動し、登録済みアイコンを選択することで、選択された登録済みアイコンに対応する登録情報を読み出すことができ、読み出した登録情報に対応した印字媒体Ｍに、適切に印字を行なうことができる。
【００８３】
なお、メディアスタートアップ機能を用いて印字設定を登録した場合は、登録済みアイコンは表示されない。この場合は、アイコンの選択を行なうことなく、印字媒体Ｍに印字を行なえる。
【００８４】
次に、コントローラ６０が実施する印字設定の登録処理を説明する。
【００８５】
プリンタ１は、複数の印字設定項目に対応する情報を順次取得して登録情報として記憶する一連の手順である登録処理を実行する。
【００８６】
登録処理では、コントローラ６０が、表示部２８に印字設定項目の入力を促す表示画面を順次表示し、ユーザが、入力部２７を介して印字設定項目の情報を入力する。この一連の操作により、それぞれの印字設定項目に対応する情報を一組とした登録情報が作成される。
【００８７】
図８は、コントローラ６０が実行する登録処理を示すフローチャートである。
【００８８】
図８に示すフローチャートは、コントローラ６０が、記憶装置に記憶されたプログラムを読み出すことにより実行される。
【００８９】
コントローラ６０は、メディアスタートアップ機能による登録を行なうか、メディアプロファイル機能による登録を行なうか、を入力するツール画面（図９参照）を表示部２８に表示し、ユーザの入力を待機する機能選択表示処理を実行する（ステップＳ１０）。
【００９０】
コントローラ６０は、ユーザにより、メディアスタートアップ機能が選択されたか、メディアプロファイル機能が選択されたかを判断する（ステップＳ２０）。
【００９１】
メディアプロファイル機能が選択されたと判断した場合は、ステップＳ３０に移行する。メディアスタートアップ機能が選択された場合はステップＳ５０に移行する。
【００９２】
ステップＳ３０では、コントローラ６０は、プリセット登録画面（図１０参照）を表示する。プリセット登録画面は、プリセット登録及びプリセット削除のメニューを含む。
【００９３】
ユーザによりプリセット登録が選択された場合は、コントローラ６０は、ステップＳ４０に移行し、登録済み又は未登録のプリセット一覧を表示して、ユーザによるプリセットの選択を待機する（図１１参照）。
【００９４】
ユーザにより、未登録のプリセットが選択された場合は、コントローラ６０は、ステップＳ１５０以降で説明する印字設定項目を順次取得する。また、ステップＳ２０でメディアスタートアップ機能が選択された場合は、ステップＳ５０以降で説明する印字設定項目を順次取得する。なお、ステップＳ５０以降の処理又はステップＳ１５０以降の処理は、メディアスタートアップ機能が選択された場合であってもメディアプロファイル機能が選択された場合であっても、その処理内容の多くは共通する。
【００９５】
まず、メディアスタートアップ機能が選択された場合のステップＳ５０からステップＳ１１０の処理を説明する。ステップＳ５０は複数ある一連の印字設定項目のうち、印字媒体設定の印字設定項目である。コントローラ６０は、印字媒体Ｍの種類を選択する印字媒体選択画面（図１２参照）を表示して、ユーザによる印字媒体Ｍの選択を待機する。ユーザによりいずれかの印字媒体Ｍが選択された場合は、コントローラ６０は選択された印字媒体Ｍの種類を記憶し、ステップＳ６０に移行する。
【００９６】
なお、本実施形態のプリンタ１は、ラベル、リストバンド、親子型リストバンドの三種類の印字媒体Ｍから選択可能に構成されている例を説明する。これら印字媒体Ｍは、それぞれアイマーク、又は基材に形成された孔を基準として印字開始位置がそれぞれ異なるものである。特に、リストバンド、親子型リストバンドは、バンド部を有するため印字開始位置がラベルよりも先頭位置から離れている。コントローラ６０は、ステップＳ５０で選択された印字媒体Ｍの種類に応じて、印字媒体Ｍの搬送を制御する。
【００９７】
図１２の印字媒体選択画面では、コントローラ６０は、一番目の項目（又は推奨される項目）である「ラベル」が選択された状態（ハッチングで示す）を初期画面として表示する。ユーザが、リストバンド又は親子型リストバンドを選択した場合は、その項目が選択された状態（ハッチング）となる。また、図１２の印字媒体選択画面において、図下方に示されている複数の点は、登録情報の登録に必要な複数の印字設定項目の数及び現在の位置を示している。濃い点で示されている場所が複数の印字設定項目のうち現在の印字設定項目の位置である。また、印字媒体選択画面において右側及び左側に示される矢印は、次の印字設定項目に移行するためにユーザが操作するボタンを示す。これらの画面表示は、図１２から図１９に共通のものである。
【００９８】
ステップＳ６０は、印字方式設定の印字設定項目である。コントローラ６０は、印字方式を選択する印字方式選択画面（図１３参照）を表示してユーザによる印字方式の選択を待機する。ユーザによりいずれかの印字方式が選択された場合は、コントローラ６０は選択された印字方式を記憶し、ステップＳ７０に移行する。
【００９９】
なお、ステップＳ６０は、プリンタ１が複数の印字方式（熱転写方式、感熱方式）を備えている場合に実行される。そうでない場合、すなわち、プリンタ１が熱転写方式のみを備えている場合は、コントローラ６０は、ステップＳ６０の処理を省略して、ステップＳ７０に移行するようにしてもよい。
【０１００】
より具体的には、プリンタ１は、感熱方式のみを備える感熱方式専用モデルと、感熱方式及び熱転写方式の両方を備える感熱方式・熱転写方式兼用モデルと、の二種類が存在する。感熱方式専用モデルは、インクリボンＲに関する機構を備えていない。そこで、プリンタ１が感熱方式専用モデルである場合は、ステップＳ６０の印字方式設定画面を表示させず、ステップＳ７０のセンサタイプ選択画面に遷移させることにより、印字設定時のユーザの手間を軽減できる。
【０１０１】
なお、プリンタ１のコントローラ６０が感熱方式専用モデルに対応するものであるか、感熱方式・熱転写方式兼用モデルに対応するものであるかは、プリンタ１の製造工場において、入力部２７が有するＤＩＰ−ＳＷによって予め設定されてもよい。コントローラ６０は、ＤＩＰ−ＳＷの設定を取得して、プリンタ１が感熱方式専用モデルであると判断した場合は、ステップＳ６０の処理を省略する。プリンタ１が感熱方式・熱転写方式兼用モデルであると判断した場合は、ステップＳ６０の処理を実行して、印字方式選択画面（図１３参照）を表示してユーザによる印字方式の選択を待機する。
【０１０２】
ステップＳ７０は、センサタイプ選択の印字設定項目である。コントローラ６０は、センサタイプを選択するセンサタイプ選択画面（図１４Ａ参照）を表示して、ユーザによるセンサタイプの選択を待機する。ユーザにより「無効」、「透過」、「反射」のいずれかのセンサタイプが選択された場合は、コントローラ６０は選択されたセンサタイプを記憶し、ステップＳ８０に移行する。
【０１０３】
前述したように、上流側位置検出センサ７１は、透過センサ及び反射センサの二種類のセンサを備えている。透過センサは、連続体ＭＬにおける印字媒体Ｍと印字媒体Ｍとの間隙（ギャップ）、又は、印字媒体Ｍに形成された孔部を検出する。反射センサは連続体ＭＬに印刷されたアイマークを検出する。
【０１０４】
本実施形態では、印字媒体Ｍがラベル及びリストバンドである場合にはアイマークが印刷されている。親子型リストバンドにはアイマークは印刷されておらず、矩形状の孔３１２が形成されている。すなわち、印字位置の検出方法が印字媒体Ｍの種類によって異なる。そこで、ステップＳ２０で親子型リストバンドが選択された場合には、図１４Ｂに示すように、コントローラ６０は、透過センサのみ選択可能とし、他の選択項目は選択不可能（例えばグレーアウト）とする。
【０１０５】
なお、印字媒体Ｍの印字位置の制御が不要である場合は、センサタイプを無効に設定することもできる。この場合は、後述のステップ８０の処理を省略して、ステップ９０に移行するようにしてもよい。
【０１０６】
ステップＳ８０は、用紙無駄なし機能を有効にするか否かの印字設定項目である。コントローラ６０は、用紙無駄なし機能を有効にするか無効にするかを選択する用紙無駄なし機能選択画面（図１５参照）を表示して、ユーザによる用紙無駄なし機能を有効にするか無効にするかを選択するチェックボタンの操作を待機する。ユーザにより有効又は無効が選択された場合は、コントローラ６０はこれを記憶し、ステップＳ９０に移行する。
【０１０７】
なお、用紙無駄なし機能は、印字媒体Ｍがラベルである場合にのみ有効にしてもよい。印字媒体Ｍがリストバンドである場合は、印字領域２０１ａのほかに巻掛け部２０１ｃ、２０１ｄを有するため、印字開始位置がリストバンドの先端部付近ではなくほぼ中央付近となる。そのため、用紙無駄なし機能を有効にした場合は、下流側位置検出センサ７２が連続体ＭＬの先頭位置を検出した後に、ラベルの場合と同様に規定の長さ分（下流側位置検出センサ７２と印字部１５との距離分）を上流側に搬送したとき、印字開始位置が印字領域に合わないからである。
【０１０８】
同様に、親子型リストバンドにおいても、印字開始位置が親子型リストバンド３０４の先端から搬送方向上流側にやや離れた位置となる。そのため、用紙無駄なし機能を有効にした場合は、下流側位置検出センサ７２が連続体ＭＬの先頭位置を検出した後に、ラベルの場合と同様に規定の長さ分（下流側位置検出センサ７２と印字部１５との距離分）を上流側に搬送したとき、印字開始位置が印字領域に合わないからである。あるいは、これら問題を解消するために、用紙無駄なし機能を有効に設定したときは、印字媒体Ｍの種類に応じて異なる搬送制御をすることで印字開始位置と印字領域とを合うようにしてもよい。
【０１０９】
そこで、ステップＳ５０においてリストバンド又は親子型リストバンドが選択された場合は、コントローラ６０は、ステップＳ８０の処理を省略してステップＳ９０に移行するようにしてもよい。
【０１１０】
ステップＳ９０は、印字速度、印字濃度設定の印字設定項目である。コントローラ６０は、印字速度、印字濃度設定画面（図１６参照）を表示して、ユーザによる印字速度、印字濃度の設定を待機する。値が変更された場合にコントローラ６０はこれを記憶し、ステップＳ１００に移行する。
【０１１１】
なお、コントローラ６０は、印字媒体Ｍの種類に対応した推奨値を予め記憶してもよく、ステップＳ５０で選択された印字媒体Ｍに対応する推奨値（印字速度３ｉｐｓ、印字濃度８）を表示部２８に表示してもよい。ユーザは、微調整が必要である場合にのみ、印字速度、印字濃度設定画面に示されている「−」ボタン又は「＋」ボタンを操作して、これらの値を変更することができる。
【０１１２】
ステップＳ１００は、ＲＦＩＤタグ設定の印字設定項目である。コントローラ６０は、ＲＦＩＤタグの種類を設定するＲＦＩＤタグ設定画面（図１７参照）を表示して、ユーザによるＲＦＩＤタグの選択を待機する。ユーザによりいずれかのＲＦＩＤタグが選択された場合は、コントローラ６０は選択されたＲＦＩＤタグの種類を記憶し、ステップＳ１１０に移行する。
【０１１３】
図１７を参照すると、ＲＦＩＤタグを使用しない場合は「なし」が選択される。ＲＦＩＤタグのデフォルト値を選択する場合は「デフォルト」を選択する。このデフォルト値には、ＲＦＩＤタグに対応するアンテナ位置、ＲＦＩＤタグからの読み出し電波出力の情報及びＲＦＩＤタグへの書き込み電波出力の情報のデフォルト値（初期値）が登録される。コントローラ６０は、この情報に基づいてアンテナ位置及び電波強度を設定する。
【０１１４】
ＲＦＩＤタグ設定画面では、ＲＦＩＤタグの他の設定値である「Ｔａｇ１」、「Ｔａｇ２」、「Ｔａｇ３」…がそれぞれ選択可能に示されている。ＲＦＩＤタグを有する印字媒体Ｍの種類に応じて最適なアンテナ位置や電波強度が異なるため、印字媒体Ｍ及びＲＦＩＤの種類に応じた設定値をそれぞれ登録することができる。例えば、印字媒体Ｍを印字部１５にセットした状態で、コントローラ６０が印字媒体ＭのＲＦＩＤタグに最適なアンテナ位置と電波強度とを検出する検出処理を行なうことができる。この検出処理の結果を設定値として「Ｔａｇ１」、「Ｔａｇ２」、「Ｔａｇ３」…に登録し、登録された設定値を用いて、ＲＦＩＤタグへの読み込み及び書き込みを行なうことができる。なお、「Ｔａｇ１」、「Ｔａｇ２」、「Ｔａｇ３」は、任意の名称に変更登録することもできる。
【０１１５】
なお、ステップＳ１００に示すＲＦＩＤタグ設定の印字設定項目は、プリンタ１がＲＦＩＤ機能を備えている場合に実施される。そうでない場合、すなわち、プリンタ１がＲＦＩＤ機能を備えていない場合は、コントローラ６０は、ステップＳ１００の処理を省略して、ステップＳ１１０に移行するようにしてもよい。
【０１１６】
より具体的には、プリンタ１は、ＲＦＩＤ機能を備えるＲＦＩＤ機能搭載モデルと、ＲＦＩＤ機能を備えないＲＦＩＤ機能非搭載モデルと、の二種類が存在する。これらは工場出荷時のオプションとして設定される。ＲＦＩＤ機能搭載モデルは、印字部１５と上流側位置検出センサ７１との間にＲＦＩＤタグの読み込み及び書き込みを行なうＲＦＩＤアンテナ及びその制御装置を含む通信部５０を備えている。プリンタ１がＲＦＩＤ機能を備えないＲＦＩＤ機能非搭載モデルである場合は、ステップＳ１００のＲＦＩＤタグ設定画面を表示させず、ステップＳ１１０の登録名入力の設定画面に遷移させることにより、印字設定時のユーザの手間を軽減できる。
【０１１７】
なお、プリンタ１がＲＦＩＤ機能搭載モデルであるかＲＦＩＤ機能非搭載モデルであるかは、プリンタ１の製造工場において、コントローラ６０のＩＯポート５９に通信ケーブルを介して通信部５０が接続されたか否かで判断する。すなわち、コントローラ６０は、通信部５０が接続されると、通信ケーブルを介した信号を取得して、プリンタ１がＲＦＩＤ機能搭載モデルであると判断する。そして、プリンタ１がＲＦＩＤ機能搭載モデルであると判断した場合は、ステップＳ１００の処理を実行して、ＲＦＩＤタグ設定画面（図１７参照）を表示してユーザによるＲＦＩＤタグ設定を待機する。通信部５０が接続されていない場合は、コントローラ６０は、接続部５０から信号を取得しないので、プリンタ１がＲＦＩＤ非搭載モデルであると判断して、ステップＳ１００の処理を省略する。
【０１１８】
ステップＳ１１０は、最終確認の印字設定項目である。ステップＳ５０からＳ１００の処理で記憶された印字設定の確認を促す最終確認画面を表示して、ユーザによる最終確認を待機する。ユーザにより登録ボタンが操作された場合は、コントローラ６０は、登録情報を作成して記憶する。
【０１１９】
最終確認画面には、登録情報に含まれる設定済み印字設定項目の情報の一覧が表示されている。ユーザは最終確認画面により、登録情報の内容を確認することができる。
【０１２０】
次に、ステップＳ２０においてメディアプロファイル機能が選択された場合の処理について説明する。前述のように、コントローラ６０は、メディアプロファイル機能が選択されたと判断した場合は、ステップＳ３０でプリセット登録画面を表示し、ステップＳ４０で未登録のプリセットが選択された場合は、ステップＳ１５０からステップＳ２２０の処理を実行して、印字設定項目を順次取得する。
【０１２１】
ここで、ステップＳ１５０からＳ２００の処理は、メディアスタートアップ機能におけるステップＳ５０からステップＳ１００の処理と共通する。すなわち、ステップＳ１５０がステップＳ５０に、ステップＳ１６０がステップＳ６０に、ステップＳ１７０がステップＳ７０に、ステップＳ１８０がステップＳ８０に、ステップＳ１９０がステップＳ９０に、ステップＳ２００がステップＳ１００に、それぞれ対応する。ステップＳ２００でＲＦＩＤタグ設定の印字設定項目の設定処理の後、ステップＳ２０５に移行する。
【０１２２】
ステップＳ２０５は、登録名入力の印字設定項目である。コントローラ６０は、以上の処理により記憶された印字設定の登録名を入力させる登録名入力画面（図１８Ａ参照）を表示して、ユーザによる登録名の入力を待機する。登録名が入力された場合にコントローラ６０はこれを記憶し、ステップＳ２１０に移行する。
【０１２３】
図１８Ａに示す登録名入力画面には「編集」ボタンが表示されている。ユーザがこの編集ボタンを操作することにより、図１８Ｂに示す入力画面へと遷移する。この入力画面では、現在の登録名と、登録名を入力するためのタッチキーボードが表示される。入力画面には、ステップＳ２０で記憶された印字媒体Ｍに対応する名称が予め設定されている。例えば印字媒体Ｍがラベルであれば「Ｌａｂｅｌ  １」が初期値として入力されている。この登録名は同一の種類の印字媒体Ｍには一連の番号が振られている。ユーザは必要に応じて、この登録名を変更することができる。
【０１２４】
登録名入力の印字設定項目の設定が完了した後、コントローラ６０は、ステップＳ２１０に移行する。ステップＳ２１０の処理は、前述のステップＳ１１０と同様であり、ステップＳ１５０からＳ２００の処理で記憶された印字設定の確認を促す最終確認画面（図１９参照）を表示して、ユーザによる最終確認を待機する。ユーザにより登録ボタンが操作された場合は、コントローラ６０は、登録情報を作成して記憶する。その後、ステップＳ２２０に移行する。
【０１２５】
次に、ステップＳ２２０の処理を説明する。コントローラ６０は、登録情報を記憶したときに、記憶された登録情報に対応するアイコンを作成し、次回スタート画面の表示時に、作成したアイコンを表示させる（図７参照）。
【０１２６】
以上のような処理により、コントローラ６０は、入力部２７を介して印字設定項目の情報を順次ユーザから取得し、ステップＳ５０又はステップＳ１５０で選択された印字媒体Ｍに対応する登録情報が作成され、コントローラ６０の記憶装置（ＲＡＭ５３）に記憶される。
【０１２７】
以上述べたように、本実施形態によれば、複数種類の印字媒体Ｍ（ラベル、リストバンド、親子型リストバンド）を選択できるプリンタ１は、印字に用いられる複数の印字設定項目を一組とした登録情報を複数記憶する制御部としてのコントローラ６０を備え、複数の印字設定項目には、印字媒体Ｍの種類に関する項目が含まれるように構成されている。
【０１２８】
これによれば、複数種類の印字媒体Ｍのそれぞれに対応する複数の登録情報を予め記憶しておくので、印字開始前にユーザが設定を行なったり、印字媒体Ｍを異なる別の種類のものに交換した場合にも、記憶された登録情報に基づいて印字を行なうことができるので、ユーザの手間が軽減され、利便性が向上する。
【０１２９】
また、本実施形態によれば、複数種類の印字媒体Ｍは、印字開始位置がそれぞれ異なり、コントローラ６０は、印字媒体Ｍの種類に関する項目の設定に基づいて、印字媒体Ｍを印字開始位置に位置合わせするように構成されている。
【０１３０】
また、本実施形態によれば、ユーザからの指示が入力される入力部２７を備えており、コントローラ６０は、複数の印字設定項目に対応する情報を入力部２７から順次取得
することにより登録情報を作成し、複数の印字設定項目のうち、印字媒体Ｍの種類に関する項目で設定された印字媒体Ｍに対応しない印字設定項目に関する情報の取得を省略するように構成されている。
【０１３１】
また、本実施形態によれば、表示部２８を備え、コントローラ６０は、記憶された登録情報に対応するアイコンを表示部２８に表示させるように構成されている。
【０１３２】
また、本実施形態によれば、複数の印字設定項目には、用紙無駄なし機能に関する項目が含まれるように構成されている。
【０１３３】
また、本実施形態によれば、コントローラ６０は、印字に用いられる複数の印字設定項目を一組とした登録情報を複数記憶する第１のモードであるメディアプロファイル機能と、印字に用いられる複数の印字設定項目を一組とした一つの登録情報のみ記憶する第２のモードであるメディアスタートアップ機能と、を備えるように構成されている。これによれば、メディアプロファイル機能を用いることで、プリンタ１に装填される印字媒体Ｍを他の種類に変更した場合にも、ワンタッチで登録情報を呼び出すことができるので、印字媒体Ｍの種類を変更するたびに印字のための設定を一から設定しなおす必要がなくなる。一方、メディアスタートアップ機能では、起動時や印字媒体Ｍの交換時にも登録情報の呼び出しのための操作を省略できる。
【０１３４】
また、本実施形態によれば、印字媒体Ｍの搬送方向における位置を検出するセンサ（上流側位置検出センサ７１又は下流側位置検出センサ７２）を備え、複数の印字設定項には、印字媒体Ｍに備わる被検出部（アイマーク又はギャップ）に対応するセンサに関する項目が含まれるように構成されている。
【０１３５】
本実施形態では、これらの構成によっても、ユーザの手間が軽減され、利便性が向上する。
【０１３６】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【０１３７】
１    プリンタ
１０    印字機構
１１    ヘッドユニット
１２    プラテンローラ
１３    サーマルヘッド
１４    支持軸
１５    印字部
２０    リボン供給軸
２７    入力部
２８    表示部
３０    リボン巻取軸
３１    電源スイッチ
４０    媒体供給軸
５０    通信部
５１    中央演算装置（ＣＰＵ）
５２    ＲＯＭ
５３    ＲＡＭ
５４    搬送制御回路
５５    印字制御回路
５７    用紙検出回路
５９    ＩＯポート
６０    コントローラ
６１    電源部
６５    バス
７１    上流側位置検出センサ
７２    下流側位置検出センサ
１０４Ａ    先端部
１０７    台紙
１０８    ラベル片
１０９    アイマーク
１２０    ギャップ
２０１    リストバンド
２０１ａ  印字領域
２０１ｂ  被印字部
２０１ｃ  第１の巻掛け部
２０１ｄ  第２の巻掛け部
２０１ｅ  孔部
２０１ｆ  アイマーク
２０２    バンド基材
２０３    ミシン目
３０３    基材
３０４    親子型リストバンド
３０５    接続線
３０６    外縁境界線
３０７    親リストバンド
３０７ａ  印字領域
３０８    子リストバンド
３０８ａ  印字領域
３０９    内縁境界線
３１２    孔
３１７    孔部
３１８    孔部
１０１０    設定アイコン
１０１１    登録済みアイコン
１０１２    登録済みアイコン
Ｍ        印字媒体
ＭＬ      連続体
【図１】
2020131471.tif 000003
【図２】
2020131471.tif 000004
【図３】
2020131471.tif 000005
【図４】
2020131471.tif 000006
【図５】
2020131471.tif 000007
【図６】
2020131471.tif 000008
【図７】
2020131471.tif 000009
【図８】
2020131471.tif 000010
【図９】
2020131471.tif 000011
【図１０】
2020131471.tif 000012
【図１１】
2020131471.tif 000013
【図１２】
2020131471.tif 000014
【図１３】
2020131471.tif 000015
【図１４Ａ】
2020131471.tif 000016
【図１４Ｂ】
2020131471.tif 000017
【図１５】
2020131471.tif 000018
【図１６】
2020131471.tif 000019
【図１７】
2020131471.tif 000020
【図１８Ａ】
2020131471.tif 000021
【図１８Ｂ】
2020131471.tif 000022
【図１９】
2020131471.tif 000023